(57)【要約】      （修正有）【課題】多くのゴルフ場において、サービス用ボールマーカーが用意され、ほとんどが円盤状の平面部のボールマーカーの用意だけである。同伴プレーヤーが同じボールマーカーを使用することになり、グリーン上の他の同伴者のボール位置が近いと、他の同伴者の位置と間違える可能性がある。誤球は、２罰打が与えられ、同伴者に不愉快な思いをさせる。このような誤球させないボールマーカーを提供する。【解決手段】上部の平板部２と平板部の中央下面から下部に突き出るように形成されたピン部３を有するゴルフプレー用のボールマーカー１であって、平板部が文字形状や動物、植物、乗物形状から選択された形状である。【選択図】図１
0003213461.tif 000002
【実用新案登録請求の範囲】
【請求項１】
上部の平板部と前記平板部の下面中央部から下部に突き出るように形成されたピン部を有するゴルフプレー用のボールマーカーであって、
前記平板部の形状が、アルファベット、カタカナ、ひらがな、漢字、動物、植物、乗物の形状から選択された形状であることを特徴とするボールマーカー。
【請求項２】
前記平板部の形状の表面に、文字やマークの印刷または凹凸文字やマークが施されることを特徴とする請求項２に記載のボールマーカー。
【考案の詳細な説明】
【技術分野】
【０００１】
本考案は、ゴルフプレーのグリーン上において、ゴルフボールを拾い上げる際のゴルフボールの位置の目印として用いられるボールマーカーに関する。
【背景技術】
【０００２】
従来、ゴルフプレーに用いられるボールマーカーは、様々な製品が使用されている。このようなボールマーカーは、ゴルフマーカーともグリーンマーカーとも言われることがある。
【０００３】
現在、多くのゴルフ場において、プレーヤーの使用のために特別に作成したサービス用のボールマーカーが用意されており、プレーヤーは必要に応じて自由に使用できる。
図３には、従来のボールマーカーを斜視図で示した。平板部２は単なる円形のものが多い。
【先行技術文献】
【特許文献】
【０００４】
【特許文献１】実用新案登録第3102800号
【考案の概要】
【考案が解決しようとする課題】
【０００５】
しかし、この多くのゴルフ場のサービス用ボールマーカーの場合、特許文献１に示すように平板部が円盤状であり、円盤の大きさと、素材の色と、表面の印刷の違いなどの数種類程度の用意だけであり、同伴のプレーヤーがともにサービス用ボールマーカーを使用し、同じような位置に差し置いた場合には、他の同伴者のボールマーカーと間違えて、誤った位置からパッティングしてしまったりすることがある。このようなプレーは、２罰打になり、楽しい競技に水を差してしまう。ここに改善の余地があった。例え、サービス用のボールマーカーであっても、他のプレーヤーの位置と間違うことがないような工夫が求められている。
そこで、本考案は、ゴルフ場のサービス用ボールマーカーとして使用が可能であり、同伴者がそれぞれ異なる種類のボールマーカー所持することができ、誤球を防止することが可能なボールマーカーを提供することを目的としている。
【課題を解決するための手段】
【０００６】
前述の課題を解決するため、本考案は以下の手段を提案する。
まず、本考案の上位概念の第１の考案は、上部の平板部とこの平板部の下面中央からその下部に突き出るように形成されたピン部を有するゴルフプレー用のボールマーカーであって、前述の平板部の形状が、アルファベット、カタカナ、ひらがな、漢字、動物、植物の形状から選択された形状である。
このようなボールマーカーであれば、ゴルフ場において、ゴルフプレイヤーはそれぞれ異なるボールマーカー、例えば本人のイニシャルなどを手にすることが出来、ボール位置の間違いが起きず、ゴルフプレイヤーがグリーン上で誤球を防ぐことが出るようになる。また例えば、ゴルフ場の名称の一文字ずつを準備し、サービス用ボールマーカーすることが可能である。
【０００７】
また、前述の第１の考案の下位概念である第２の考案は、平板部の形状の表面に、文字やマークの印刷または凹凸文字が施される第１の考案に記載のボールマーカーである。
このようなボールマーカーであれば、平板部がアルファベットなどの、ゴルフ場と関係のない形状であっても、平板部に印刷などでゴルフ場の名称など必要な文字を印刷できる。又は平板部を形成する際に一体に凹文字や凸文字を形成することができ、必要な文字やマークなどの情報を表示するができる。ここで、凸文字とは、平面部の平面より飛び出たように文字を形成する文字である。また、凹文字とは、平面部の平面より彫り込んだように形成した文字である。
【考案の効果】
【０００８】
本考案は、ゴルフ場のサービス用ボールマーカーとして使用が可能であり、同伴者がそれぞれ異なる種類のボールマーカー所持することができ、誤球を防止することが可能なボールマーカーを提供することができる。
【図面の簡単な説明】
【０００９】
【図１】本発明のボールマーカーの一例の斜視図である。
【図２】本発明のボールマーカーの平板部の他の文字の図形例である。
【図３】従来のボールマーカーの斜視図である。
【考案を実施するための形態】
【００１０】
つぎに、本考案にかかる実施例について具体的に説明する。
【実施例１】
【００１１】
図１の実施例は、本考案のボールマーカー１を斜視図で示した一例である。上面の平板部２はアルファベットのKの字に模られている。この実施例の場合、平板部２の下面の中央からは下方に延びるグリーンに差し込むためのピン部３が垂直に突設されている。例えば、試作は、３Ｄプリンタにて、アルファベットのＫの字をデザインし、合成樹脂で作製した。量産する場合、金型を作製して樹脂モールド品で作製される。ボールマーカー１の大きさは、縦の長さは１０ｍｍ、平板部２の幅は２０ｍｍ角であり、材料は合成樹脂である。
産業的には、金型を製作し、射出成型機にて大量生産し、現状のボールマーカーの価格とほぼ同一の価格と同一とすることができ、安価に提供できる。
【００１２】
この平板部２は、アルファベット文字すべてでなくとも、ゴルフ場の名称の一文字を、例えば、平和ゴルフクラブなら、H、E、I、W、Aのそれぞれの文字に模られた平面部２を準備してサービス用に置いておけば、４人ないし５人の同伴ゴルファーは、それぞれ異なる文字の平面部２を有するボールマーカー１を所持し、競技することが可能になる。そうすれば、４人ないし５人がそれぞれ異なる文字のボールマーカーを所持することができるので、グリーン上でパッティングする際の誤球を防止することができる。必要に応じて、金属材料で鋳造やプレス成型などで製作することも可能である。ゴルファーに喜ばれる一品となろう。
なお、たとえば、ゴルフ場の名称などを凸文字や凹文字で形成するときは、金型で必要な形状を形成しておき、一体に成形することができる。
【００１３】
なお、この平板部２の厚みは、一般的には同一であるが、周囲に行くにしたがって薄くなるようにしておくと、例え同伴者のカップへ向かうライン上の近くであっても少し強めに差し込んでおくことによって、グリーン平面の障害物になりにくい状態とすることも可能になる。
【００１４】
図２は本考案の、アルファベット文字をデザイン化した図形例である。他に、カタカナ、ひらがな、漢字などの図形も作成できる。似ている図形のものを除いても、２０数種類を製作できる。場合によっては、動物や植物などの図形でも製作可能であり、楽しいゴルフ競技に花を添えることになろう。
【００１５】
以上、本考案の実施の形態を説明したが、本考案の範囲は、これに限定されるものではなく、本考案の要旨を逸脱しない範囲において種々変更を加え得ることは勿論である。
【００１６】
なお、本考案は上述の考案を実施するための最良の形態に限らず本考案の要旨を逸脱することなくその他種々の構成を採り得ることはもちろんである。
【符号の説明】
【００１７】
１  ボールマーカー
２  平板部
３  ピン部
【図１】
0003213461.tif 000003
【図２】
0003213461.tif 000004
【図３】
0003213461.tif 000005